(57)【要約】【課題】バッグ本体に接続しているベルトでたすき掛けに掛けたとき、ベルトが押しつけられることによる女性の胸部への圧迫が少なくなるようにすること。【解決手段】バック本体に接続しているベルトで、肩からたすき掛けに掛けたとき、胸前に回されたベルトのうち、胸部部分にあたるベルトの位置に、Ｓ字状湾曲部か、半円状湾曲部を設けておくことにより、左胸部と右胸部を圧迫せずに、左胸部と右胸部の間を鳩尾に向かってベルトをたすき掛けできるようになる。【選択図】　　図１
2004089635.tif 000002
【特許請求の範囲】
【請求項１】
バッグ本体（１）に接続しているベルト（２）でたすき掛けに掛けたとき、胸前に回されたベルト（２）の胸部辺りに位置している部分にＳ字状湾曲部（３）を少なくとも一ヶ所設けることにより、特に女性が、たすき掛けに掛けたとき、胸部への圧迫が少なくなるように為されたベルト（２）を用いて、たすき掛けに掛けて使用されるバッグ。
【請求項２】
バッグ本体（１）に接続しているベルト（２）でたすき掛けに掛けたとき、胸前に回されたベルト（２）の胸部辺りに位置している部分に半円状湾曲部（４）を少なくとも一ヶ所設けたベルト（２）を用いて、たすき掛けに掛けて使用される請求項１のバッグ。
【発明の詳細な説明】
【０００１】
【発明の属する技術分野】
本発明は、特に女性が、バック本体に接続しているベルトで、たすき掛けにバッグを肩に掛けたとき、ベルトによる胸部への圧迫を少なくするために、ベルトに少なくとも一ヶ所のＳ字状湾曲部か、半円状湾曲部を設けたベルトを用い、たすき掛けにして使用されるバッグに関する。
【０００２】
【従来の技術】
従来のベルトでたすき掛けに掛けて使用されるバッグ本体に接続しているベルトは、真っ直ぐであり、ベルトの幅が紐状程度であれば、女性がたすき掛けに掛けても胸部が圧迫されることはなかったが、ベルトの幅が広くなると、たすき掛けに掛けたベルトのうち、胸前に位置している部分で、胸部が圧迫されていたのであった。
【０００３】
【発明が解決しようとする課題】
従来のベルトでたすき掛けに掛けて使用されるバッグ本体に接続しているベルトは、真っ直ぐであり、ベルトの幅が紐状程度であれば、女性がたすき掛けに掛けても胸部が圧迫されることはなかったが、ベルトの幅が狭いと肩にくい込んで痛くなったり、ベルトの強度の問題から小物を入れるような小さめのバッグにしか使用されていなくて、一般には、幅が広いベルト状を用いることが多いのであるが、真っ直ぐで、幅の広いベルトを左肩側から右腰側、或いは右肩側から左腰側へたすき掛けにすると、胸前に位置しているベルトにより、胸部が圧迫されており、たすき掛けに掛けても胸部への圧迫が少ない、ベルトでたすき掛けに掛けて使用されるバッグが求められていた。
【０００４】
【課題を解決するための手段】
ベルトでたすき掛けに掛けるバッグの場合、ベルトの両端はバッグに接続されており、ベルトとバッグでできた輪の中に首を入れて、左肩側に掛けたとき、バッグは右腰側にあり、ベルトは、左肩側から右腰側にたすき掛けされており、右肩側に掛けたときバッグは、左腰側にあり、ベルトは、右肩側から左腰側にたすき掛けされているので、いずれにしても、ベルトは、身体の胸前と背中側に回されているので、胸前に位置しているベルトにより、特に女性の胸部は圧迫されるのであるから、右胸部と左胸部の間の鳩尾から左右どちらかの腰部に向かって通過するようにたすき掛けできるようにベルトにＳ字状湾曲部か、半円状湾曲部を少なくとも一ヶ所設けることによって、たすき掛けしても胸部への圧迫を少なくできるバッグとなる。
【０００５】
【発明の実施の形態】
本発明は、ベルトで、たすき掛けに掛けて使用されるバッグのベルトに湾曲部を設けることにより、たすき掛けに掛けたとき、特に女性の胸部への圧迫が少なくなるように考慮されたバッグである。
【０００６】
湾曲部を設ける位置は、ベルトをたすき掛けに掛けたとき、胸前に回されたベルトの胸部を通過している部分に湾曲部を設けるのである。
【０００７】
左肩側から右腰側へたすき掛けする場合と、右肩側から左腰側へたすき掛けする場合の湾曲部の形状は逆の形状となるのであり、左肩側から右腰側へたすき掛けする場合湾曲部は、左胸部の上側に沿うように湾曲させ、左胸部と右胸部の間を通って、鳩尾辺りから今度は、右胸部の下側に沿うように湾曲させることにより、左肩側から右腰側へたすき掛けされたベルトによる胸部の圧迫を少なくすることができるのである。
【０００８】
同様に、右肩側から左腰側にたすき掛けする場合は、右胸部の上側に沿うように湾曲させ、右胸部と左胸部の間を通って、鳩尾辺りから左胸部の下側に沿うように湾曲させることにより、右肩側から左腰側にたすき掛けされたベルトによる胸部の圧迫を少なくすることができるのである。
【０００９】
たすき掛けをするとき、必ず、左肩側からのみたすき掛けする、或いは、右肩側からのみたすき掛けすることを決めておいて、胸前に位置する部分にのみに湾曲部を設けておいても良いのであるが、気分や都合でひとつのバッグを左肩側からたすき掛けしたり、右肩側からたすき掛けすることがあるので、表裏のないバッグであれば、左肩側からたすき掛けした場合、右肩側からたすき掛けした場合を考慮して、ベルトの二ヶ所にＳ字状湾曲部か、半円状湾曲部を設けておくと効果的である。
【００１０】
表裏があるバッグの場合は、左肩側からたすき掛けするのか、右肩側からたすき掛けするのかあらかじめ考慮してＳ字状湾曲部か、半円状湾曲部を設けるか、バッグに接続しているベルトの両端部がバッグから取り外しができるようにして、ベルトをバッグから外して、付け替えられるようにするとどちら側の肩からたすき掛けにしても湾曲部を左胸と右胸の間の鳩尾辺りに位置させることができ便利である。
【００１１】
たすき掛けに掛けたとき、胸部にあたって圧迫していたベルトの部分に少なくとも一ヶ所、Ｓ字状湾曲部か、半円状湾曲部を設けておくことにより、ベルトによる胸部の圧迫を少なくすることができるのであり、胸部に位置している部分以外の部分に湾曲部を設けても、胸部への圧迫を少なくする効果は期待できないが、胸部に位置している部分に設けた湾曲部の効果を阻害することはないので、デザイン的な理由で、胸部に位置している部分以外のところに湾曲部を設けても差し障りはないのである。
【００１２】
湾曲部は、左肩側から右腰側にたすき掛けしたとき、ベルトを削って左胸部の上側に沿ってのみ設けたり、右胸部の下側に沿ってのみ設けたり、また、右肩側から左腰側にたすき掛けしたとき、ベルトを削って右胸部の上側に沿ってのみ設けたり、左胸部の下側に沿ってのみ設けたりするよりも、Ｓ字状湾曲部や半円状湾曲部を設けた方がたすき掛けにしたとき、左右両方の胸部の圧迫を少なくすることができ効果的である。
【００１３】
湾曲部を設けるとき、湾曲部を設けていない部分のベルトの幅より、湾曲部を設けている部分のベルトの幅を狭くして湾曲部を設けた方が、ベルトで胸部を圧迫することがさらに少なくなるので効果的であるが、湾曲部を設けていない部分のベルトの幅と湾曲部を設ける部分のベルトの幅をほぼ同じ幅にしても湾曲部により胸部の圧迫は、ベルトが真っ直ぐな従来品より格段に少なくなっているのでどちらでも良いのである。
【００１４】
たすき掛けに掛けて使用されるバッグのベルトに湾曲部を設けるとき、すべてのベルトに湾曲部を設けると効果的であるが、幅が狭いベルトの場合、たすき掛けにしてもさほど胸部を圧迫しないので、幅が広いベルトがついたバッグに設けた方が効果的である。
【００１５】
本発明は、胸部が隆起している特に女性用に使用すると効果的だが、男性が使用しても不具合はないので、湾曲部の有無で、特に、女性用・男性用と区別しなくても良いのである。
【００１６】
男性でも、太っている人にとっては、たすき掛けにしたとき、ベルトによる胸部への圧迫感が少なくなり効果的である。
【００１７】
【実施例】
実施例について図面を参照して説明すると、図１において、バッグ本体（１）に接続しているベルト（２）を肩からたすき掛けに掛けるとき、Ｓ字に湾曲させたＳ字状湾曲部（３）をベルト（２）に、少なくとも一ヶ所設ける。
【００１８】
図２では、ベルト（２）にＳ字状湾曲部（３）を設けたバッグ本体（１）を左肩側から右腰側にたすき掛けしたときの使用状態を示す図であり、左肩側から右腰側にベルト（２）をたすき掛けにしたとき、胸前にＳ字状湾曲部（３）が来るように設けられているので、ベルト（２）は、左胸部の上側を沿うようにして左胸部と右胸部の間を通って鳩尾辺りから右胸部の下側を沿うようにしてＳ字状に押しつけられるため、たすき掛けにしても、胸前で押しつけられるベルト（２）で、胸部が圧迫されることが少なくなるのである。
【００１９】
図３では、バッグ本体（１）を右肩側から左腰側へたすき掛けしたときの使用状態を示す図であり、右肩側から左腰側にベルト（２）をたすき掛けにしたとき、胸前にＳ字状湾曲部（３）が来るように設けられているので、ベルト（２）は、右胸部の上側を沿うようにして右胸部と左胸部の間を通って鳩尾辺りから左胸部の下側を沿うようにしてＳ字状に押しつけられるため、たすき掛けにしても、図２と同様に、胸前に押しつけられるベルト（２）で胸部が圧迫されることが少なくなるのである。
【００２０】
図４では、バック本体（１）に接続しているベルト（２）を湾曲させるとき、Ｓ字状湾曲部（３）ではなく、請求項２の半円状に湾曲させた半円状湾曲部（４）とした場合の参考実施例図である。
【００２１】
Ｓ字状湾曲部（３）や半円状湾曲部（４）は、ベルト（２）をたすき掛けしたとき、胸前に位置している部分に少なくとも一ヶ所設けるのであるが、ひとつのバッグ本体（１）で、左肩側から右腰側にたすき掛けする場合と、右肩側から左腰側にたすき掛けする場合があるので、左右どちら側からたすき掛けしても胸部への圧迫が少なくなるように設ける位置を考慮しながら、ベルト（２）に二ヶ所設けると効果的である。
【００２２】
また、Ｓ字状湾曲部（３）や半円状湾曲部（４）をベルト（２）に一ヶ所だけ設ける場合において、バッグ本体（１）と接続しているベルト（２）の両端部の接続方法を金具などを用いて、ベルト（２）だけをおもて裏にひっくり返せるようにすると、どちら側の肩からたすき掛けしても胸部への圧迫を少なくすることができるようになり効果的である。
【００２３】
Ｓ字状湾曲部（３）や半円状湾曲部（４）の湾曲の緩急は、身体の大きさや、胸の大きさにより個人差があるので、複数の緩急をつけたサイズのベルト（２）を用意しておいて、その人にあったベルト（２）をバッグ本体（１）に付け替えて使用できるようにすると便利である。
【００２４】
【発明の効果】
本発明は、以上述べて来たような内容で実施され、以下に記載されるような効果を奏する。
【００２５】
Ｓ字状湾曲部か、半円状湾曲部をベルトに設けることにより、ベルトをたすき掛けに掛けたとき、胸前がベルトで圧迫されることが少なくなるのである。
【００２６】
Ｓ字状湾曲部か、半円状湾曲部をベルトに二ヶ所設けることによって、同じバッグのベルトを左肩側から右腰側にたすき掛けしても、右肩側から左腰側にたすき掛けしても、胸部が圧迫されることが少なくなるので便利である。
【００２７】
本発明を使用することによってベルトをたすき掛けにしても胸部が圧迫されることが少なくなるので、特に女性が使用することによって、隆起している左右の胸部が圧迫されることが少なくなるのである。
【００２８】
重いバッグをベルトでたすき掛けしていると、胸部はより一層押しつけられて圧迫し、痛みすら伴う場合があったが、本考案を使用すれば、従来の比べて、胸部が圧迫されることが少なくなり、楽になるのである。
【００２９】
本発明を使用することによって、たすき掛けにしていても胸部が圧迫されることが少ないので、ベルトでバッグをたすき掛けにしたまま移動したり、身動きしやすくなるのである。
【００３０】
本発明を使用することによって、太った人や、年配の人や、胸部に怪我をしている人でも、従来に比べて、ベルトでバッグをたすき掛けにしていても、胸部への圧迫が少なくて済むので便利である。
【図面の簡単な説明】
【図１】本発明の実施例である。
【図２】本発明の使用状態を示す図である。
【図３】本発明の使用状態を示す図である。
【図４】本発明の参考実施例図である。
【符号の説明】
１　バッグ本体
２　ベルト
３　Ｓ字状湾曲部
４　半円状湾曲部
【図１】
2004089635.tif 000003
【図２】
2004089635.tif 000004
【図４】
2004089635.tif 000005
【図５】
2004089635.tif 000006
【図６】
2004089635.tif 000007
【手続補正書】
【提出日】平成14年11月15日(2002.11.15)
【手続補正１】
【補正対象書類名】明細書
【補正対象項目名】図面の簡単な説明
【補正方法】変更
【補正の内容】
【図面の簡単な説明】
【図１】本発明の実施例を示す斜視図である。
【図２】本発明の使用状態を示す図である。
【図３】横から見た実施例図である。
【図４】湾曲部を二ヶ所設けた場合の斜視図である。
【図５】請求項２の実施例を示す斜視図である。
【符号の説明】
１　バッグ本体
２　ベルト
３　Ｓ字状湾曲部
４　半円状湾曲部


【手続補正２】
【補正対象書類名】図面
【補正対象項目名】全図
【補正方法】変更
【補正の内容】
【図１】
2004089635.tif 000008
【図２】
2004089635.tif 000009
【図３】
2004089635.tif 000010
【図４】
2004089635.tif 000011
【図５】
2004089635.tif 000012